(57)【要約】【課題】医療施設における煩雑な手続を低減し、容易に再利用可能な医療機器に適用可能な使い捨て医療器具を発注することのできる使い捨て医療器具を発注する。【解決手段】使い捨て医療器具流通システム１は、複数の病院に設けられた病院端末２ａ，２ｂ，…と、これら病院端末２ａ，２ｂ，…からの使い捨て医療器具の発注依頼の入力情報に基づき該使い捨て医療器具の受注配送処理をするコンピュータシステムよりなるメーカ３内に配置されたサーバ３ａとから構成され、これら病院端末２ａ，２ｂ，…及びサーバ３ａが広域ネットワーク４により接続されシステム構築されている。そして受注情報に応じて、受注した複数の使い捨て医療器具を滅菌後に密封した滅菌用包装袋内に収納して依頼元である病院に配送する。【選択図】図１
2006260261.tif 000002
【特許請求の範囲】
【請求項１】
医療施設において行う医療行為に用いられる医療器具の受注を行なうための医療器具流通システムにおいて、
通信回線を介して取得した、前記医療施設において行われる医療行為に関する情報に基づき、繰り返し使用され得る複数種類の医療器具の中から、当該医療行為に使用され得る使い捨ての医療器具の情報を選択候補として抽出する器具情報抽出部と、
前記医療器具の選択候補の中から選択された医療器具の選択情報と、この選択情報を取得した医療施設に関連する情報から、前期選択された医療器具に応じた医療器具を、単一の滅菌用包装袋に収納して前記医療施設に発送するための発送指示を行なう器具発送指示部と、
医療施設に設置された端末との間で情報の送受信を行なう通信部と
を備えたことを特徴とする医療器具流通システム。
【請求項２】
前記医療行為に使用され得る医療機器の情報を抽出する機器情報抽出部を更に備え、
前記機器情報抽出部は、前記医療施設が行なう医療行為の情報に基づき当該医療行為に使用され得る医療機器の情報を選択候補として抽出することを特徴とする
請求項１に記載の医療器具流通システム。
【請求項３】
前記医療器具は前記医療機器と組み合わせて使用され得る医療器具であって、
前記器具情報抽出部は、前記医療施設に提供した前記医療機器の情報の中から選択された医療機器と組み合わせて使用され得る医療器具の情報を選択候補として抽出する
ことを特徴とする請求項２に記載の医療器具流通システム。
【請求項４】
前記医療機器は内視鏡であって、
前記機器情報抽出部は、前記内視鏡を使用した医療行為に関連する前記医療施設から取得した情報に基づき、前記医療施設において当該医療行為に使用され得る前記内視鏡の情報を選択候補として抽出する
ことを特徴とする請求項２または３に記載の医療器具流通システム。
【請求項５】
前記医療行為に関連する情報、前記医療器具の情報、前期医療機器の情報を記憶する記憶装置を更に備えた
ことを特徴とする請求項４に記載の医療器具流通システム。
【請求項６】
前記医療器具抽出部は、
第１の医療器具のリストを展開する第１の器具リスト展開部と、
前記第１の医療器具と組み合わせて使用され得る第２の医療器具のリストを第１の医療器具に対して階層的に展開する第２の器具リスト展開部と
を備えたことを特徴とする請求項１ないし５のいずれかに記載の医療器具流通システム。
【請求項７】
前記滅菌用収納袋に収納される医療器具に関する情報が記載されたラベルを生成するラベル生成部
を更に備えたことを特徴とする請求項１ないし６のいずれかに記載の医療器具流通システム。
【請求項８】
通信回線を介して医療施設において行なわれる医療行為に関する情報を取得するステップと、
取得した前記医療行為に関する情報に基づき、複数種類の医療器具の中から前記医療行為に使用され得る医療器具の情報を選択候補として抽出するステップと、
この選択候補としての医療器具の情報を前記医療施設に提供するステップと、
前記医療施設に提供した医療器具の選択候補の中から選択された医療器具の選択情報を前記医療施設から取得するステップと、
前記医療器具の選択情報とこの選択情報を取得した医療施設の情報から、前記選択された医療器具に応じた医療器具を単一の滅菌用包装袋に収納して前記医療施設に発送するための指示を行うステップと
を備えた医療器具流通方法。
【請求項９】
前記医療器具の情報を抽出するステップは、
第１の医療器具のリストを展開する第１の器具リスト展開ステップと、
前記第１の医療器具と組み合わせて使用され得る第２の医療器具のリストを第１の医療器具に対して階層的に展開する第２の器具リスト展開ステップと
を備えたことを特徴とする請求項８に記載の医療器具流通方法。
【発明の詳細な説明】
【技術分野】
【０００１】
本発明は、使い捨て医療器具を受注し発送する医療器具流通システムに関する。
【背景技術】
【０００２】
近年、医療技術の進歩に伴い種々の医療機器が開発・販売されている。これらの医療機器は、検査・処置あるいは手技等が行われた後に再利用可能なものと使い捨てのものがあり、再利用可能な医療機器はオートクレーブ装置等により洗浄及び滅菌処置が施される。
【０００３】
再利用可能な医療機器として例えば内視鏡があるが、このような再利用可能な内視鏡においては、例えば特開２００２−３３０２９８号公報に示される内視鏡の挿入部に付加的に接着される外付け方式の管路（以下本明細書では「外付けチャンネル」と称する）、等の使い捨ての医療器具が内視鏡と組合せで使用されることがあるが、これらの処置具や外付け管路などの使い捨て医療器具として多種多様なものがあり、行なわれる症例と症例に使用される内視鏡に応じて、使用されるこれら使い捨て医療器具の数や種類は異なる場合がある。また、医療器具の種別に応じて広く用いられるものから、特殊な症例のみに用いられるものなど、その使用頻度（症例に対する汎用性）喪医療器具の種類に応じて異なる。
【０００４】
そして使用される症例に使用される処置具は内視鏡の種類（例えば上部消化管用、下部消化管用、十二指腸用など）に応じて適用可能な処置具の長さや外径が異なる場合がある。また、上述したような外付けチャンネルにおいても同様に、行われる症例と使用される内視鏡の種類によって適用可能なチャンネル内径や長さが異なることがある。更に、外付けのチャンネルに使用する場合には、使用される外付けチャンネルに応じて使用可能な処置具の外径や長さも異なることがあり、さまざまな組み合わせが考えられる。
【０００５】
このように、行なわれる症例と、この症例に使用される内視鏡の種類に応じ、使用される使い捨て医療器具のさまざまな組合せが考えられ、一般的に例えば内視鏡などの繰り返し使用され得る医療機器は病院内に継続して配置されるが、上述したような使い捨ての医療器具は個々に滅菌用包装袋に収納された状態で流通している。
【特許文献１】特開２００２−３３０２９８号公報
【発明の開示】
【発明が解決しようとする課題】
【０００６】
しかしながら、使いすて医療器具は個々に収納された状態で流通しており、それぞれの使用頻度も異なることから、症例に必要な医療器具あるいはそれらの組合せについて、在庫不足が生じないよう、あるいは過剰に保有しないよう配慮しながら病院等の医療施設側で在庫管理や発注処理を行う必要があり、これらの手続が煩雑で医療施設側の負担が大きいといった問題がある。
【０００７】
本発明は、上記事情に鑑みてなされたものであり、医療施設における煩雑な手続を低減し、容易に再利用可能な医療機器に適用可能な使い捨て医療器具を発注することのできる使い捨て医療器具を発注することのできる医療器具流通システムを提供することを目的としている。
【課題を解決するための手段】
【０００８】
本発明の医療器具流通システムは、
医療施設において行う医療行為に用いられる医療器具の受注を行なうための医療器具流通システムにおいて、
通信回線を介して取得した、前記医療施設において行われる医療行為に関する情報に基づき、繰り返し使用され得る複数種類の医療器具の中から、当該医療行為に使用され得る使い捨ての医療器具の情報を選択候補として抽出する器具情報抽出部と、
前記医療器具の選択候補の中から選択された医療器具の選択情報と、この選択情報を取得した医療施設に関連する情報から、前期選択された医療器具に応じた医療器具を、単一の滅菌用包装袋に収納して前記医療施設に発送するための発送指示を行なう器具発送指示部と、
医療施設に設置された端末との間で情報の送受信を行なう通信部と  
を備えて構成される。
【発明の効果】
【０００９】
本発明によれば、医療施設における煩雑な手続を低減し、容易に再利用可能な医療機器に適用可能な使い捨て医療器具を発注することのできる使い捨て医療器具を発注することができるという効果がある。
【発明を実施するための最良の形態】
【００１０】
以下、図面を参照しながら本発明の実施例について述べる。
【実施例１】
【００１１】
図１ないし図１２は本発明の実施例１に係わり、図１は使い捨て医療器具流通システムの構成を示す構成図、図２は図１の製品配送部門から配送される滅菌密封パックを示す図、図３は図１の使い捨て医療器具流通システムの作用を示すフローチャート、図４は図３の処理で病院端末に展開される製品申し込みウインドウを示す図、図５は図３の処理で病院端末に展開される手技分野選択ウインドウを示す図、図６は図３の処理で病院端末に展開される検査内容選択ウインドウを示す図、図７は図３の処理で病院端末に展開される内視鏡一覧ウインドウを示す図、図８は図３の処理で病院端末に展開される製品選択ウインドウを示す図、図９は図３の処理で病院端末に展開される第１階層製品群リストウインドウを示す図、図１０は図３の処理で病院端末に展開される第２階層製品群リストウインドウを示す図、図１１は図３の処理で病院端末に展開される製品群リストウインドウを示す図、図１２は図３の処理で病院端末に展開される受注確認ウインドウを示す図である。
【００１２】
図１に示すように、本実施例の医療器具流通システム１は、依頼元あるいは発注側としての複数の医療施設（例えば病院など）に設置され、行なう症例に応じた使い捨ての医療器具の発注依頼の入力を行うためのクライアント端末としての病院端末２ａ、２ｂ、…と、これら病院端末２ａ、２ｂ、…からの医療器具の発注依頼の情報を受けて発注配送処理を行なうための、例えば、医療機器の製造メーカ３等（以下「メーカ」と称する）の注文を受ける側に設置されたサーバ３ａから構成され、これら病院端末２ａ，２ｂ、…及びサーバ３が広域ネットワーク（例えば、インターネット等であるが、通信回線であればどのようなものでも良い）４により接続されている。
【００１３】
なお、メーカ３に設置されるサーバ３ａは病院端末２ａ，２ｂ、…からの医療器具の発注依頼を受け、病院側で所有する内視鏡の種類と行なう症例に応じた医療器具の発注と受注を受けた医療器具を病院に発送するための処理を行う機能を有する。
【００１４】
即ち、サーバー３ａは図２に示すような、受注した症例に応じて使用される複数の使い捨て医療器具（例えば外付けチャンネル器具１１と、この外付けチャンネル器具１１と共に使用される処置具１２）を一つの滅菌用包装袋１３内に収納し、この滅菌用包装袋１３の外表面には、依頼元の情報や収納されている医療器具の情報等が記載されたラベル１４が添付された状態で依頼元である病院などの医療施設に配送するための処理を行う。
【００１５】
ここで、ラベル１４は必ずしも包装袋の外表面に添付されている必要は無く、視認できる場所であれば滅菌用包装袋の中であってもよく、滅菌用包装袋１３に直接印刷等の処理により記入してあっても良い。
【００１６】
このように構成された本実施例の医療器具流通システム１の作用について説明する。
【００１７】
病院端末２ａ，２ｂ，…から広域ネットワーク４を介してサーバ３ａに使い捨て医療器具の発注依頼のアクセスがあると、図３に示すように、ステップS1にて病院端末２ａ，２ｂ，…に対してユーザID及びパスワード等によるユーザ確認処理を行う。
【００１８】
具体的には、サーバ３ａは、図４に示すような認証用フレームからなる使い捨て製品申し込みウインドウ２１の情報（画像イメージ）を病院端末２ａ，２ｂ，…に送信し、この使い捨て製品申し込みウインドウ２１での複数の入力項目（例えば、病院名、担当医師名（発注者名）、使用予定日、ユーザID及びパスワード）を受信することでユーザ確認を行う。
【００１９】
なお、図４では病院名、担当医師名（発注者名）、使用予定日等の項目をユーザID及びパスワードと同時に入力するように構成されているが、これら項目をユーザ確認を行った後に入力してもよいことはもちろんのことである。
【００２０】
そして、サーバ３ａは、ユーザ確認が終了すると、ステップS2にて図５に示すような予定している手技分野を選択する手技分野選択ウインドウ２２を病院端末２ａ，２ｂ，…に送信し、この手技分野選択ウインドウ２２での手技分野の選択情報を受信し確認する。
【００２１】
サーバ３ａは、選択情報を受信すると、ステップS3にて図６に示すような予定している検査内容を選択する検査内容選択ウインドウ２３を病院端末２ａ，２ｂ，…に送信し、この検査内容選択ウインドウ２３での検査内容の選択情報を受信し確認する。
【００２２】
このようにしてユーザID、手技分野の選択情報及び検査内容の選択情報を取得すると、次に、ステップS4にて選択された手技及び検査に適用可能な内視鏡を検索し、図７に示すような使用可能な内視鏡一覧ウインドウ２４を病院端末２ａ，２ｂ，…に送信する。
【００２３】
なお、本実施例の場合、サーバ３ａには、予め市場に流通している内視鏡の製品情報がデータベース化され、内視鏡の名称を含めた一覧形式で表示されるようになっており、病院等の発注側は、この一覧の中から症例に用いる内視鏡を選択するように構成されている。
【００２４】
次いで、ステップS5にて内視鏡一覧ウインドウ２４により、病院端末２ａ，２ｂ，…から入力された、使用を予定している内視鏡の選択情報を受信し確認する。
【００２５】
サーバ３ａは、入力された内視鏡の選択情報を受信すると、ステップS6にて図８に示すような使用予定の内視鏡に適用可能な使い捨て製品の選択方法を指定する製品選択ウインドウ２５を病院端末２ａ，２ｂ，…に送信し、この製品選択ウインドウ２５で入力された製品の選択条件情報を受信し確認する。
【００２６】
なお、図８の場合は、使用予定の内視鏡に適用可能な外付けチャンネルをまず選択して、選択した外付けチャンネルで使用可能な処置具を選択する階層的選択情報（外付けチャンネル製品の選択項目）と、使用予定の内視鏡に適用可能な外付けチャンネル及び処置具を同時に選択する同列的選択情報（外付けチャンネル製品及び処置具の選択項目）が用意された例を示している。
【００２７】
上記ステップS1〜ステップS6は発注情報を取得するためのステップである。サーバ３ａが有する発注情報取得機能により実行される。
【００２８】
そして、製品受注部門３ａは、ステップS7にて製品の選択条件情報に応じて使用可能な使い捨て製品群を検索し製品群リストからなる製品群を示したリストウインドウを病院端末２ａ，２ｂ，…に送信する。
【００２９】
具体的には、例えば図８において、製品の選択条件情報として階層的選択情報（外付けチャンネル製品の選択項目）が選択された場合には、まず図９に示すような使用可能な外付けチャンネル製品の製品群リストからなる第１階層製品群リストウインドウ２６が病院端末２ａ，２ｂ，…に送信され、発注側により外付けチャンネル製品が選択されると、図１０に示すような該外付けチャンネル製品に適用可能な処置具の製品群リストからなる第２階層製品群リストウインドウ２７が病院端末２ａ，２ｂ，…に送信される。
【００３０】
また、図８において、使用予定の内視鏡に適用可能な外付けチャンネル及び処置具を同時に選択する同列的選択情報（外付けチャンネル製品及び処置具の選択項目）が選択された場合には、図１１に示すように、内視鏡に使用可能な外付けチャンネル製品の製品群リスト２８及び処置具の製品群リスト２９からなる製品群リストウインドウ３０が病院端末２ａ，２ｂ，…に送信される。
【００３１】
上記ステップS7は器具リストを抽出し展開するためのステップであって、サーバ３ａが有する器具リスト抽出展開機能により実行される。
【００３２】
そして、サーバ３ａは、ステップS8にて製品群リストウインドウにより、ユーザが発注を希望している発注製品（外付けチャンネル製品及び処置具）の製品情報を病院端末２ａ，２ｂ，…から受信し確認する。
【００３３】
このようにして製品情報が確認されると、サーバ３ａは、ステップS9にて図１２に示すような受注確認ウインドウ５０を病院端末２ａ，２ｂ，…に送信する。この受注確認ウインドウ５０には、ユーザが入力したユーザ情報５１及び受注製品情報５２が表示されており、このユーザ情報５１及び受注製品情報５２に関する認証を受信し確認する。
【００３４】
上記ステップS8及びS9は受注情報確認ステップであって、受注情報確認機能により実行される。
【００３５】
そして、サーバ３ａは、依頼元によるユーザ情報５１及び受注製品情報５２に関する認証を確認すると、器具発送指示機能が実行され、器具発送指示ステップであるステップS10にてユーザ情報５１及び受注製品情報５２を含む製品のパッキング指示及び発注指示が製品配送部門（図示せず）に伝送され、製品配送部門は伝送された指示に基づいて製品のパッキング及び発送手配を行う。。
【００３６】
この発送指示を受けて、製品配送部門は受注製品を１つの滅菌用包装袋１３（図２参照）内に収納する。このとき滅菌用包装袋１３には依頼元情報としてのユーザ情報５１及び受注製品情報５２が記載されたラベル１４が添付される。
【００３７】
そして、受注製品が収納された滅菌用包装袋１３を依頼元である病院へ配送する。
【００３８】
このように本実施例では、ユーザである病院は病院端末２ａ，２ｂ，…を用いることで、広域ネットワーク４を介して簡単にサーバ３ａにアクセスでき、かつユーザが予定している症例等の使用状況に応じた使い捨て製品群を階層的選択方法あるいは同列的選択方法によりリスト化してユーザに提供することで、最適な製品の組み合わせ選択が容易に可能となる。
【００３９】
すなわち、ユーザである病院等の医療施設においては在庫管理の労力が大幅に低減でき、メーカ側ではディスポ（使い捨て）製品の組合せの発注処理を簡略化することが可能となる。
【００４０】
また、選択された組み合わせの製品を、ユーザ情報５１及び受注製品情報５２が記載されたラベル１４が添付された１つの滅菌用包装袋１３に収納した状態で依頼元である病院に配送するので、ユーザ側での管理が滅菌密封パック単位で行うことができ、かつラベル１４により滅菌密封パックの収納内容が容易に視認できるようになる。
【００４１】
なお、本実施例では使い捨て医療器具として外付けチャンネル製品及び処置具を例に説明したが、この組み合わせに限らず、１つの症例で使用される複数の処置具の組み合わせ等としてもよい。
【００４２】
本発明は、上述した実施例に限定されるものではなく、本発明の要旨を変えない範囲において、種々の変更、改変等が可能である。
【図面の簡単な説明】
【００４３】
【図１】本発明の実施例１に係る使い捨て医療器具流通システムの構成を示す構成図
【図２】図１の製品配送部門から配送される滅菌密封パックを示す図
【図３】図１の使い捨て医療器具流通システムの作用を示すフローチャート
【図４】図３の処理で病院端末に展開される製品申し込みウインドウを示す図
【図５】図３の処理で病院端末に展開される手技分野選択ウインドウを示す図
【図６】図３の処理で病院端末に展開される検査内容選択ウインドウを示す図
【図７】図３の処理で病院端末に展開される内視鏡一覧ウインドウを示す図
【図８】図３の処理で病院端末に展開される製品選択ウインドウを示す図
【図９】図３の処理で病院端末に展開される第１階層製品群リストウインドウを示す図
【図１０】図３の処理で病院端末に展開される第２階層製品群リストウインドウを示す図
【図１１】図３の処理で病院端末に展開される製品群リストウインドウを示す図
【図１２】図３の処理で病院端末に展開される受注確認ウインドウを示す図
【符号の説明】
【００４４】
１…使い捨て医療器具流通システム
２ａ，２ｂ…病院端末
３…使い捨て医療器具受注センタ
４…広域ネットワーク
１１…外付けチャンネル器具
１２…処置具
１３…滅菌密封パック
１４…ラベル
代理人    弁理士    伊藤  進
【図１】
2006260261.tif 000003
【図２】
2006260261.tif 000004
【図３】
2006260261.tif 000005
【図４】
2006260261.tif 000006
【図５】
2006260261.tif 000007
【図６】
2006260261.tif 000008
【図７】
2006260261.tif 000009
【図８】
2006260261.tif 000010
【図９】
2006260261.tif 000011
【図１０】
2006260261.tif 000012
【図１１】
2006260261.tif 000013
【図１２】
2006260261.tif 000014